(57)【要約】【課題】過度のドラフトを生じさせること無く、ローコストかつ省エネルギーで快適な空調空間を実現可能な冷暖房効率の高いドラフトレス快適空調システムを提供することを目的とする。【解決手段】本発明に係るドラフトレス快適空調システムによれば、床面近傍の空気を吸気口から吸気して、空調後の空気を空間の上部に設けられた送風口から空間へと送風するため、ドラフトを生じさせること無く空間内の温度分布を均一化することができる。これにより、冷暖房効率の向上とそれに伴う省エネルギー化とを図ることができるとともに、強いドラフトによる不快感を防止することができ、人にとって快適な空調空間を実現することができる。さらに、通風路として軽量間仕切り内の空間を利用するため、ローコスト化と省スペース化とを図ることができる。【選択図】図１
2009287790.tif 000002
【特許請求の範囲】
【請求項１】
空調を行う空間を構成する壁部の床面近傍に設けられた吸気口と、
前記空間の上方に設けられ前記吸気口から吸気した空気を加温もしくは冷却する熱交換装置と、
前記壁部の内部に設けられ前記吸気口から吸気した空気を前記熱交換機に供給する通風路と、
前記空間の上部に設けられ前記熱交換機によって加温もしくは冷却された空気を前記空間に送風する送風口と、
を有することを特徴とするドラフトレス快適空調システム。
【請求項２】
前記吸気口と前記通風路とを一体化したことを特徴とする請求項１記載のドラフトレス快適空調システム。
【発明の詳細な説明】
【技術分野】
【０００１】
本発明は、空調を行う空間から吸気した空気を加温もしくは冷却して空間内に送風する空調システムに関するものである。
【背景技術】
【０００２】
比較的大規模な店舗、ビル、工場などの建築物に用いられる空調システムは、フロア等の空調を行う空間内の空気を吸気して、その空気を建築物の天井裏等に設置された熱交換機と屋外に設置された室外機とによって加温もしくは冷却した後、上記の空間を構成する天井部に設置された送風口より再度空間内に送風するものが一般的である。
【０００３】
ここで、下記[特許文献１]では、複数の熱交換器を並列かつ多段的に配設した省エネルギーな空調設備に関する発明が開示されている。
【０００４】
【特許文献１】特開２００７−１３２６５１号公報
【発明の開示】
【発明が解決しようとする課題】
【０００５】
しかしながら、上記の[特許文献１]に開示された発明などの一般的な空調システムは、送風口のみならず空間内の空気を吸気する吸気口も天井部に設置されているものが多い。ところが、比重の軽い比較的温度の高い空気は空間上部に停留し、また反対に比重の重い比較的温度の低い空気は空間下部に停留するため、空調を行う空間内の上下方向には通常、温度分布が生じている。上下方向に温度分布が生じている空間に対し空調を行う場合、上記のような送風口と吸気口とが天井部に設置されている空調システムでは空間内の空気の循環性が低く、例えば空間の上部の温度は高いのに人が活動する空間下部の温度は低いといった事態が生じ、冷暖房効率が悪いことに加え省エネルギーの観点からも好ましいものではない。また、空間内の空気の循環性を向上させるために送風口から空調後の空気を比較的強い風速で送風すれば空気の循環性は改善されるものの、人はこの送風によるドラフトを肌で感じて不快感を覚えたり、ドラフトのあたる領域のみが過度に冷えるもしくは暖められるなどして体感温度に差が生じ、人にとって快適な空調を行うことが困難である。
【０００６】
本発明は、上記事情に鑑みてなされたものであり、空調を行う空間の下部から空気を吸気し空間の上方から空調後の空気を送風することで、過度のドラフトを生じさせること無く、ローコストかつ省エネルギーで快適な空調空間を実現可能な冷暖房効率の高いドラフトレス快適空調システムを提供することを目的とする。
【課題を解決するための手段】
【０００７】
本発明は、
（１）空調を行う空間１０を構成する壁部１２の床面１４近傍に設けられた吸気口３０と、前記空間１０の上方に設けられ前記吸気口３０から吸気した空気を加温もしくは冷却する熱交換装置３２と、前記壁部１２の内部に設けられ前記吸気口３０から吸気した空気を前記熱交換機３２に供給する通風路３４と、前記空間１０の上部に設けられ前記熱交換機３２によって加温もしくは冷却された空気を前記空間１０に送風する送風口３６と、を有することを特徴とするドラフトレス快適空調システム５０を提供することにより、上記課題を解決する。
（２）前記吸気口３０と前記通風路３４とを一体化したことを特徴とする上記（１）記載のドラフトレス快適空調システム５０を提供することにより、上記課題を解決する。
【発明の効果】
【０００８】
本発明に係るドラフトレス快適空調システムは、
空調を行う空間の下部から空気を吸気し、空間の上方から空調後の空気を送風するため、過度のドラフトを生じさせること無く冷暖房効率の向上を図ることができる。これにより、ローコストかつ省エネルギーでありながら快適な空調空間を実現することができる。
【発明を実施するための最良の形態】
【０００９】
本発明に係るドラフトレス快適空調システムの実施の形態について図面に基づいて説明する。図１は、本発明に係るドラフトレス快適空調システムの概略図である。図２は、本発明に係る吸気口と通風路とを一体化したドラフトレス快適空調システムの概略図である。図３は、本発明に係るドラフトレス快適空調システムを用いた空間内の上下方向における各点の温度の測定結果を示す図である。図４は、本発明に係るドラフトレス快適空調システムの変形例を用いた空間内の平面方向における各点の温度の測定結果を示すグラフである。
【００１０】
本発明に係るドラフトレス快適空調システムの概略図を図１に示す。図１に示す本発明に係るドラフトレス快適空調システム５０は、空調を行う空間１０を構成する壁部１２の床面１４近傍に設けられた吸気口３０と、壁部１２の内部に設けられ吸気口３０から吸気した空気を熱交換機３２に供給する通風路３４と、空間１０の上方である例えば天井裏等に設けられ吸気口３０から吸気した空気を加温もしくは冷却する熱交換機３２と、熱交換機３２と所定の配管で接続され熱交換機３２の冷媒等を加熱もしくは冷却するための室外機１８と、空間１０の上部にあたる例えば天井部１６に設けられ熱交換機３２によって加温もしくは冷却された空気を空間１０に送風する送風口３６と、を有している。尚、図１中の矢印は、ドラフトレス快適空調システム５０の空気の流れを示している。また、ドラフトレス快適空調システム５０を構成する通風路３４は、外壁等（空間１０が外壁と接していない場合には、隣接する空間の壁部）と空間１０の壁部１２との間に形成されている軽量間仕切り内の空間を利用することにより、上記のドラフトレス快適空調システム５０では通風路３４のための特別な風導等が不要となり、ローコスト化が可能となる。尚、軽量間仕切りが外壁と隣接している場合には、その外壁部には発泡ウレタン等を吹き付けて断熱処理することなどで形成される外断熱体を有しており、これにより、空間１０内及び通風路３４内の温度を一定とすることが可能である。
【００１１】
また、本発明に係るドラフトレス快適空調システム５０は、図２に示すように吸気口３０と通風路３４とを一体化して軽量間仕切りを兼ねる吸気ユニット４０とし、この吸気ユニット４０を壁部１２に埋設するようにして設置工事の簡略化を図っても良い。
【００１２】
上記の本発明に係るドラフトレス快適空調システム５０は、図示しない操作パネルを人が操作して所定の温度設定を行うと、床面１４近傍の比較的温度の低い空気を吸気口３０から吸気して、通風路３４を通して空間１０の上方に設けられた熱交換機３２に供給する。熱交換機３２及び室外機１８は上記の設定温度に応じて吸気した空気を加温もしくは冷却し、空間１０の天井部１６に設けられた送風口３６から空間１０へと送風する。このため、空間１０の空気を上方向から下方向へと循環させることが可能となり、空間１０内の温度分布の均一化を図ることができる。これにより、空間の上部の温度と人が活動する空間下部の温度との温度差がなくなり、冷暖房効率の向上を図ることができる。
【００１３】
ここで、本発明に係るドラフトレス快適空調システム５０を用いて空調を行った空間１０内の各点における床面１４から高さ約１０ｃｍ位置での測定温度と床面１４から高さ約１００ｃｍ位置での測定温度とを図３に示す。尚、図３中の「下」に示す温度が床面１４から高さ約１０ｃｍ位置での測定温度を示し、「上」に示す温度が床面１４から高さ約１００ｃｍ位置での測定温度を示す。図３より、高さ約１０ｃｍ位置での測定温度と高さ約１００ｃｍ位置での測定温度との温度差は、人が出入りする入り口近傍で約１℃の範囲内にあり、またそれ以外の点では０．５℃未満の範囲内にある。よって、空間１０内における上下方向の温度分布が均一化されていることが分かる。
【００１４】
尚、本発明に係るドラフトレス快適空調システム５０は、空間１０内における比較的低温の箇所（例えば、空間１０における北側）の床面１４近傍に吸気口３０を設置し、空間１０内における比較的高温の箇所（例えば、空間１０における南側）の天井部１６に送風口３６を設置するようにしても良い。
【００１５】
ここで、空間１０の北側に吸気口３０を設置し南側に送風口３６を設置した場合のドラフトレス快適空調システム５０による、空間１０の北側、中央、南側の各点の床面１４から高さ約８０ｃｍ位置での測定温度の時間変化を図４に示す。尚、図４中の実線Ａは北側の測定点における測定温度を、実線Ｂは中央の測定点における測定温度を、実線Ｃは南側の測定点における測定温度を、実線Ｄは外気温度を、それぞれ示している。図４から、ドラフトレス快適空調システム５０の稼動時（図４における破線矢印で示した時刻範囲）における各点の測定温度の温度差は、ドラフトレス快適空調システム５０の非稼動時と比較して小さくなっていることが分かる。このことから、吸気口３０を空間１０内における比較的低温の箇所に設置し、送風口３６を空間１０内における比較的高温の箇所に設置することにより、上下方向のみならず平面方向の温度分布の均一化を図ることが可能となる。
【００１６】
以上のことから、本発明に係るドラフトレス快適空調システム５０によれば、比較的温度の低い床面１４近傍の空気を吸気口３０から吸気して、熱交換機３２等によって加温もしくは冷却した空気を空間１０の上部に設けられた送風口３６から空間１０へと送風するため、ドラフトを生じさせること無く空間１０内の温度分布を均一化することが可能となる。これにより、冷暖房効率の向上とそれに伴う省エネルギー化とを図ることができるとともに、従来の一般的な空調システムのように、強いドラフトが人に直接あたることによる不快感や、例えば暖房時にドラフトが直接あたる領域が暑く、ドラフトのあたらない足元が寒いなどの体感温度の差に伴う不快感を防止することができ、人にとって快適な空調空間を実現することができる。さらに、本発明に係るドラフトレス快適空調システム５０は、通風路３４として軽量間仕切り内の空間を利用するため、通風路３４のための特別な風導等が不要となり、ローコスト化と省スペース化とを図ることができる。
【００１７】
尚、本発明は比較的大規模な建築物のみならず一般家屋等にも適用が可能である他、本発明の要旨を逸脱しない範囲で変更して実施することが可能である。
【図面の簡単な説明】
【００１８】
【図１】本発明に係るドラフトレス快適空調システムの概略図である。
【図２】本発明に係る吸気口と通風路とを一体化したドラフトレス快適空調システムの概略図である。
【図３】本発明に係るドラフトレス快適空調システムを用いた空間内の上下方向における各点の温度の測定結果を示す図である。
【図４】本発明に係るドラフトレス快適空調システムの変形例を用いた空間内の平面方向における各点の温度の測定結果を示すグラフである。
【符号の説明】
【００１９】
１０    空間
１２    壁部
１４    床面
３０    吸気口
３２    熱交換装置
３４    通風路
３６    送風口
５０    ドラフトレス快適空調システム
【図１】
2009287790.tif 000003
【図２】
2009287790.tif 000004
【図３】
2009287790.tif 000005
【図４】
2009287790.tif 000006